(57)【要約】  本発明は、メディアファイルサーバ（１８）から携帯通信装置（１０）を更新するためのシステムに関する。メディアファイルの処理及び装置とサーバとの間のとりうる無線接続のタイプを検出することに基づき、装置はファイルストレージ内のメディアファイルの更新を自動的に命令する。装置は処理されたメディアファイルを削除し、ファイルストレージの空き容量に基づき更新容量を判断し、サーバから装置へ新たなメディアファイルの転送を要求し、削除したメディアファイルと交換する新たなメディアファイルを受信し、それらをファイルストレージに格納する。サーバは、複数のメディアファイルを含むメディアファイルアーカイブ（２０）を有し、アーカイブ制御部（２２）は、転送要求を受信すると、更新容量に適合する新たなメディアファイルを選択し、それらを装置に送信する。
2009505259.tif 000002
【特許請求の範囲】
【請求項１】
メディアファイルサーバ(18)から携帯通信装置(10)を更新する方法であって、
前記携帯通信装置における制限された容量のメディアファイルストレージ(28)内のメディアファイルが処理されたことを検出することにより第１の更新時機を判断するステップ(42)と、
前記携帯通信装置と前記メディアファイルサーバとの間に設定可能な無線接続のタイプを判断することにより少なくとも１つの更なる更新時機を判断するステップ(44)と、
少なくとも、処理されたメディアファイルの前記検出及び前記メディアファイルサーバに対して設定可能な無線接続のタイプと、とりうる他の更なる更新時機とに応じて、更新を自動的に実行するステップと、を有し、
前記更新は、
処理されたメディアファイルを、前記制限された容量のメディアファイルストレージから削除するステップ(52)と、
前記削除するステップの後に前記メディアファイルストレージにおけるメディアファイルのための空き記憶容量を判断するステップと、
前記空き記憶容量に基づいて更新容量(54)を判断するステップと、
前記メディアファイルサーバへの無線接続を介して、前記メディアファイルサーバから前記メディアファイルストレージへの更新容量に適合する新たなメディアファイルの転送を要求するステップ(58)と、
少なくとも削除されたメディアファイルと交換する新たなメディアファイルを前記無線接続を通じて受信するステップ(62)と、
前記受信したメディアファイルを前記メディアファイルストレージに格納するステップ(64)と、
を含むことを特徴とする方法。
【請求項２】
前記無線接続の１つのタイプは、前記携帯通信装置と前記メディアファイルアーカイブとの間のローカル無線接続であり、前記自動的な更新はローカル無線接続の存在に応じて実行されることを特徴とする請求項１に記載の方法。
【請求項３】
メディアファイルが処理され、かつ、ローカル無線接続が存在する場合に、前記自動的な更新が実行されることを特徴とする請求項２に記載の方法。
【請求項４】
メディアファイルが処理され、かつ、ローカル無線接続が存在しない場合には、別の更なる更新時機(48)に基づいて、前記自動的な更新が実行されることを特徴とする請求項２又は３に記載の方法。
【請求項５】
１つの更なる更新時機は、前記メディアファイルストレージにおける未処理ファイル数が閾値を下回る場合であることを特徴とする請求項１乃至４のいずれか１項に記載の方法。
【請求項６】
１つの更なる更新時機は、所定の時点に達した場合であることを特徴とする請求項１乃至５のいずれか１項に記載の方法。
【請求項７】
前記時点は、直近の更新によって決まる相対的な時点であることを特徴とする請求項６に記載の方法。
【請求項８】
前記時点は、固定された時点であることを特徴とする請求項６に記載の方法。
【請求項９】
１つの更なる更新時機は、前記携帯通信装置においてカレンダーの設定が行われた場合であることを特徴とする請求項６に記載の方法。
【請求項１０】
１つの更なる更新時機は、前記携帯通信装置を物理的に別のデバイスに接続した場合であることを特徴とする請求項１乃至９のいずれか１項に記載の方法。
【請求項１１】
前記携帯通信装置のユーザは、選択可能な相異なるメディアプロファイルのセットを有し、少なくとも１つの前記更なる更新時機に基づいてメディアプロファイルを選択し、当該選択されたメディアプロファイルの情報を前記メディアファイルサーバに提供し、当該選択されたメディアプロファイルにより新たなメディアファイルの受信を可能にし、これによりメディアプロファイルの選択に使用する前記更なる更新時機を、自動更新の実行の判断のために使用する必要をなくすようにしたステップを更に有することを特徴とする請求項１乃至１０のいずれか１項に記載の方法。
【請求項１２】
処理されたメディアファイルを削除する前記ステップは、前記選択されたメディアプロファイルに応じてメディアファイルを削除するステップを含むことを特徴とする請求項１１に記載の方法。
【請求項１３】
前記更新容量に適合する前記メディアファイルサーバ内の新たなメディアファイルを選択し、当該選択した新たなメディアファイルを前記携帯通信装置に送信するステップを更に有することを特徴とする請求項１乃至１２のいずれか１項に記載の方法。
【請求項１４】
少なくとも１つの新たなメディアファイルの符号化を変更するステップを更に有することを特徴とする請求項１３に記載の方法。
【請求項１５】
前記符号化は、前記携帯通信装置とネットワークとの間の無線リンクの品質に基づいて変更されることを特徴とする請求項１４に記載の方法。
【請求項１６】
前記符号化は、前記新たなファイルを前記更新容量に適合させるべく変更されることを特徴とする請求項１４に記載の方法。
【請求項１７】
前記メディアファイルストレージは、前記メディアファイルサーバに存在しない少なくとも１つのメディアファイルを含み、前記削除するステップは、前記メディアファイルサーバに存在しない前記少なくとも１つのメディアファイルを削除し、当該削除したメディアファイルを前記メディアファイルサーバに転送するステップを更に有することを特徴とする請求項１乃至１６のいずれか１項に記載の方法。
【請求項１８】
削除され転送され前記メディアファイルサーバに存在しなくなったメディアファイルの選択は、少なくとも１つの更なる更新時機に基づくことを特徴とする請求項１７に記載の方法。
【請求項１９】
前記更新容量は、更に少なくとも１つの更なる更新時機に基づいて判断されることを特徴とする請求項１８に記載の方法。
【請求項２０】
メディアファイルサーバ(18)からメディアファイルを更新する携帯通信装置(10)であって、
少なくとも１つの無線通信部(30, 34)と、
制限された容量のメディアファイルストレージ(28)と、
前記メディアファイルストレージ内の少なくとも１つのメディアファイルを処理するメディア処理部(26)と、
制御部(24)であって、
前記制限された容量のメディアファイルストレージ内のメディアファイルが処理されたことを検出することにより第１の更新時機を判断し、
前記携帯通信装置と前記メディアファイルサーバとの間に設定することが可能な無線接続のタイプを判断することにより少なくとも１つの更なる更新時機を判断し、
少なくとも、処理されたメディアファイルの前記検出と、前記メディアファイルサーバに対して設定可能な無線接続のタイプと、とりうる他の更なる更新時機とに応じて、更新を自動的に命令する
ように構成された制御部とを備え、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルアーカイブから前記メディアファイルストレージへの新たなメディアファイルの転送を要求し、
前記削除されたメディアファイルと交換する新たなメディアファイルを受信し、当該受信したメディアファイルを前記制限された容量のメディアファイルストレージに格納する
ことにより行うことを特徴とする携帯通信装置。
【請求項２１】
無線接続の１つのタイプは、前記携帯通信装置と前記メディアファイルアーカイブとの間のローカル無線接続であり、前記更新は、ローカル無線接続の存在に応じて、自動的に命令されることを特徴とする請求項２０に記載の携帯通信装置。
【請求項２２】
メディアファイルが処理され、かつ、ローカル無線接続が存在する場合に、前記更新が自動的に命令されることを特徴とする請求項２１に記載の携帯通信装置。
【請求項２３】
メディアファイルが処理され、かつ、ローカル無線接続が存在しない場合には、別の更なる更新時機に基づいて、前記更新が自動的に命令されることを特徴とする請求項２１又は２２に記載の携帯通信装置。
【請求項２４】
１つの更なる更新時機は、所定の時点に達した場合であることを特徴とする請求項２０乃至２３のいずれか１項に記載の携帯通信装置。
【請求項２５】
前記時点は、直近の更新によって決まる相対的な時点であることを特徴とする請求項２４に記載の携帯通信装置。
【請求項２６】
前記時点は、固定された時点であることを特徴とする請求項２４に記載の携帯通信装置。
【請求項２７】
１つの更なる更新時機は、前記携帯通信装置においてカレンダーの設定が行われた場合であることを特徴とする請求項２４に記載の携帯通信装置。
【請求項２８】
１つの更なる更新時機は、前記携帯通信装置を物理的に別のデバイスに接続した場合であることを特徴とする請求項２０乃至２７のいずれか１項に記載の携帯通信装置。
【請求項２９】
前記携帯通信装置のユーザは、選択可能な相異なるメディアプロファイルを有し、前記制御部は更に、少なくとも１つの前記更なる更新時機に基づいてメディアプロファイルを選択し、当該選択されたメディアプロファイルに関する情報を前記メディアファイルサーバに提供し、当該選択されたメディアプロファイルにより新たなメディアファイルの受信を可能にし、これによりメディアプロファイルの選択に使用する前記更なる更新時機を、自動更新の実行の判断のために使用する必要をなくすように構成されることを特徴とする請求項２０乃至２８のいずれか１項に記載の携帯通信装置。
【請求項３０】
前記メディアファイルストレージは、前記メディアファイルサーバに存在しない少なくとも１つのメディアファイルを含み、処理されたメディアファイルを削除する場合、前記制御部は更に、前記メディアファイルサーバに存在しない前記少なくとも１つのメディアファイルを削除し、当該削除したメディアファイルの前記メディアファイルサーバへの転送を命令することを特徴とする請求項２０乃至２９のいずれか１項に記載の携帯通信装置。
【請求項３１】
削除され転送を命令され前記メディアファイルサーバに存在しなくなったメディアファイルの選択は、少なくとも１つの更なる更新時機に基づくことを特徴とする請求項３０に記載の携帯通信装置。
【請求項３２】
前記制御部は、少なくとも１つの更なる更新時機にも基づいて、前記更新容量を判断するように構成されることを特徴とする請求項２０乃至３１のいずれか１項に記載の携帯通信装置。
【請求項３３】
前記携帯通信装置は携帯電話であることを特徴とする請求項２０乃至３２のいずれか１項に記載の携帯通信装置。
【請求項３４】
メディアファイルサーバ(18)であって、
メディアファイルを含むメディアファイルアーカイブ(20)と、
アーカイブ制御部(22)と、を備え、
前記アーカイブ制御部は、
制限された容量のメディアファイルストレージを有する携帯通信装置(10)であって、該メディアファイルストレージ内のメディアファイルが処理されたことを検出することによる第１の更新時機と、前記携帯通信装置と前記メディアファイルサーバとの間に設定することが可能な無線接続のタイプを判断することに基づく少なくとも１つの更なる更新時機と、とりうる他の更なる更新時機とに応じて、新たなメディアファイルの転送の要求を送信する携帯通信装置から、無線接続を介して前記要求を受信し、
前記携帯通信装置により指定された更新容量に適合し、かつ、前記処理されたメディアファイルと交換する新たなメディアファイルを、前記メディアファイルアーカイブから選択し、
前記選択した新たなファイルを、前記ローカルストレージに格納するために前記携帯通信装置に送信する、
ことを特徴とするメディアファイルサーバ。
【請求項３５】
前記アーカイブ制御部は、前記携帯通信装置により指定された前記携帯通信装置のユーザに関連するメディアプロファイルのセットにおけるメディアプロファイルに応じてメディアファイルを選択するように構成されることを特徴とする請求項３４に記載のメディアファイルサーバ。
【請求項３６】
前記アーカイブ制御部は、転送する少なくとも１つの新たなメディアファイルの符号化を変更するように構成されることを特徴とする請求項３４又は３５に記載のメディアファイルサーバ。
【請求項３７】
前記符号化は、前記携帯通信装置とネットワークとの間の無線リンクの品質に基づいて変更されることを特徴とする請求項３６に記載のメディアファイルサーバ。
【請求項３８】
前記符号化は、前記新たなファイルを前記更新容量に適合させるべく変更されることを特徴とする請求項３６又は３７に記載のメディアファイルサーバ。
【請求項３９】
メディアファイルサーバ(18)から携帯通信装置(10)を更新するためのシステムであって、
前記携帯通信装置(10)は、
少なくとも１つの無線通信部(30, 34)と、
制限された容量のメディアファイルストレージ(28)と、
前記メディアファイルストレージ内の少なくとも１つのメディアファイルを処理するメディア処理部(26)と、
制御部(24)であって、
前記制限された容量のメディアファイルストレージ内のメディアファイルが処理されたことを検出することにより第１の更新時機を判断し、
前記携帯通信装置と前記メディアファイルサーバとの間に設定することが可能な無線接続のタイプを判断することにより少なくとも１つの更なる更新時機を判断し、
少なくとも、処理されたメディアファイルの前記検出と、設定可能な無線接続のタイプと、とりうる他の更なる更新時機とに応じて、更新を自動的に命令する
ように構成された制御部とを備え、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルサーバから前記ファイルストレージへの新たなメディアファイルの転送を要求し、
前記削除されたメディアファイルと交換する新たなメディアファイルを受信し、
前記受信したメディアファイルを前記制限された容量のファイルストレージに格納する
ことにより行い、
前記メディアファイルサーバ(18)は、
メディアファイルを含むメディアファイルアーカイブ(20)と、
アーカイブ制御部(22)と、を備え、
前記アーカイブ制御部は、
前記携帯通信装置から前記無線接続を介して新たなメディアファイルの転送の要求を受信し、
更新容量に適合する新たなメディアファイルを、前記メディアファイルアーカイブから選択し、
前記選択した新たなファイルを、前記携帯通信装置に送信する
ことを特徴とするシステム。
【請求項４０】
メディアファイルサーバ(18)から携帯通信装置(10)を更新するためのコンピュータプログラム(66)であって、
前記携帯通信装置にロードされたときに、当該携帯通信装置に、
制限された容量のメディアファイルストレージ(28)内のメディアファイルが処理されたことを検出することにより第１の更新時機を判断し、
当該携帯通信装置と前記メディアファイルサーバとの間に設定することが可能な無線接続のタイプを判断することにより少なくとも１つの更なる更新時機を判断し、
少なくとも、処理された幾つかのメディアファイルの前記検出と、設定可能な無線接続のタイプと、とりうる他の更なる更新時機とに応じて、更新を自動的に命令する
ことを実行させるためのコンピュータプログラムコードを含み、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルサーバから前記メディアファイルストレージへの新たなメディアファイルの転送を要求し、
前記削除されたメディアファイルと交換する新たなメディアファイルを受信し、当該受信したメディアファイルを前記制限された容量のメディアファイルストレージに格納する
ことにより行うことを特徴とするコンピュータプログラム。
【請求項４１】
メディアファイルサーバ(18)から携帯通信装置(10)を更新するためのコンピュータプログラム(66)であって、
前記メディアファイルサーバにロードされたときに、当該メディアファイルサーバに、
前記携帯通信装置の制限された容量のメディアファイルストレージ(28)内のメディアファイルが処理されたことを検出することによる第１の更新時機と、前記携帯通信装置と前記メディアファイルサーバとの間に設定することが可能な無線接続のタイプを判断することに基づく少なくとも１つの更なる更新時機と、とりうる他の更なる更新時機とに応じて、新たなメディアファイルの転送の要求を送信する前記携帯通信装置から、無線接続を介して前記要求を受信し、
前記携帯通信装置により指定された更新容量に適合し、かつ、前記処理されたメディアファイルと交換する新たなメディアファイルを、前記メディアファイルアーカイブから選択し、
前記選択した新たなファイルを、前記ローカルストレージに格納するために前記携帯通信装置に送信する
ことを実行させることを特徴とするコンピュータプログラム。
【発明の詳細な説明】
【技術分野】
【０００１】
本発明は携帯通信装置の分野に関する。より詳細には、本発明は携帯通信装置の更新方法、携帯通信装置、メディアファイルサーバ及びメディアファイルにより携帯通信装置を更新するためのコンピュータプログラムに関する。
【背景技術】
【０００２】
近年、携帯メディアプレーヤーがますます人気である。これらのデバイスは、大量のメディアファイルをユーザのために記憶し、これらを再生することができる。このようなプレーヤーをコンピュータに接続すれば、メディアファイルを削除し、それを新しいメディアファイルと交換することが可能である。とはいえ、これは通常、ユーザにとってはきわめて厄介かつ退屈な操作である。
【０００３】
米国特許出願公開第２００５／００２１４７０号には、携帯メディアプレーヤーをホストに接続することができるシステムが開示されている。プレーヤーに蓄積されたメディアファイル又は作品はここで更新することができる。この文献には、プレーヤーにおける作品の更新を、ユーザによって行うのか、ユーザの動作や再生シーケンスに基づき決定するのか、を表すプレファレンススコアに基づいて行うことが記載されている。そして、低プレファレンスのメディア作品を高プレファレンスのメディア作品と交換する交換処理が行われる。このようにして、記憶容量に制限があるデバイスに対して、かかる交換によってユーザに喜ばれる機会は増える。また、この文献には、作品のダウンロードを行っていることをユーザが気付かないように、そのダウンロードをバックグランド処理で実行することも記載されている。
【０００４】
携帯電話にメディアプレーヤーを設けることには関心が高い。しかし、電話機には通常、記憶空間を必要とする他の多くの機能があり、メディア再生機能だけを有する専用メディアプレーヤーよりも、メディアファイルのために残される記憶空間が制限されることが多い。
【０００５】
このため、携帯電話に設けられたメディアプレーヤーの場合、限られた数のメディアファイルにアクセスすることになろう。したがって、ユーザが実際の転送に関わる必要なしにユーザが大量のメディアファイルにアクセスできるメディアプレーヤーのためにメディアファイルを変更する高度な方法を提供することには興味が持てる。
【発明の開示】
【０００６】
本発明は、ユーザが実際の転送に関わる必要なしにユーザが大量のメディアファイルにアクセスできる携帯通信装置においてメディアファイルを変更する高度な手順を提供することを指向している。
【０００７】
本発明の１つの目的は、ユーザが実際の転送に関わる必要なしにユーザが大量のメディアファイルにアクセスできる携帯通信装置においてメディアファイルを変更する高度な手順を提供する方法を提供することである。
【０００８】
本発明の第１の側面によれば、メディアファイルサーバから携帯通信装置を更新する方法であって、
携帯通信装置における制限された容量のメディアファイルストレージ内のメディアファイルが処理されたことを検出することにより第１の更新時機を判断するステップと、
前記携帯通信装置と前記メディアファイルアーカイブとの間に設定可能な無線接続のタイプを判断することにより少なくとも１つの更なる更新時機を判断するステップと、
少なくとも、処理されたメディアファイルの前記検出及び前記メディアファイルサーバに対して設定可能な無線接続のタイプと、とりうる他の更なる更新時機とに応じて、更新を自動的に実行するステップと、を有し、
前記更新は、
処理されたメディアファイルを、前記制限された容量のメディアファイルストレージから削除するステップと、
前記削除するステップの後に前記メディアファイルストレージにおけるメディアファイルのための空き記憶容量を判断するステップと、
前記空き記憶容量に基づいて更新容量を判断するステップと、
前記メディアファイルサーバへの無線接続を介して、前記メディアファイルサーバから前記メディアファイルストレージへの更新容量に適合する新たなメディアファイルの転送を要求するステップと、
少なくとも削除されたメディアファイルと交換する新たなメディアファイルを前記無線接続を通じて受信するステップと、
前記受信したメディアファイルを前記メディアファイルストレージに格納するステップと、
を含むことを特徴とする方法によって、上記目的が達成される。
【０００９】
本発明の第２の側面は、上記第１の側面の各ステップを含み、無線接続の１つのタイプは、前記携帯通信装置と前記メディアファイルアーカイブとの間のローカル無線接続であり、前記自動的な更新はローカル無線接続の存在に応じて実行される。
【００１０】
本発明の第３の側面は、上記第２の側面の各ステップを含み、メディアファイルが処理され、かつ、ローカル無線接続が存在する場合に、前記自動的な更新が実行される。
【００１１】
本発明の第４の側面は、上記第２の側面の各ステップを含み、メディアファイルが処理され、かつ、ローカル無線接続が存在しない場合には、別の更なる更新時機に基づいて、前記自動的な更新が実行される。
【００１２】
本発明の第５の側面は、上記第１の側面の各ステップを含み、１つの更なる更新時機は、前記メディアファイルストレージにおける未処理ファイル数が閾値を下回る場合である。
【００１３】
本発明の第６の側面は、上記第１の側面の各ステップを含み、１つの更なる更新時機は、所定の時点に達した場合である。
【００１４】
本発明の第７の側面は、上記第６の側面の各ステップを含み、前記時点は、直近の更新によって決まる相対的な時点である。
【００１５】
本発明の第８の側面は、上記第１の側面の特徴を含み、前記時点は、固定された時点である。
【００１６】
本発明の第９の側面は、上記第６の側面の特徴を含み、１つの更なる更新時機は、前記携帯通信装置においてカレンダーの設定が行われた場合である。
【００１７】
本発明の第１０の側面は、上記第１の側面の特徴を含み、１つの更なる更新時機は、前記携帯通信装置を物理的に別のデバイスに接続した場合である。
【００１８】
本発明の第１１の側面は、上記第１の側面の特徴を含み、前記携帯通信装置のユーザは、選択可能な相異なるメディアプロファイルのセットを有し、少なくとも１つの前記更なる更新時機に基づいてメディアプロファイルを選択し、当該選択されたメディアプロファイルの情報を前記メディアファイルサーバに提供し、当該選択されたメディアプロファイルにより新たなメディアファイルの受信を可能にし、これによりメディアプロファイルの選択に使用する前記更なる更新時機を、自動更新の実行の判断のために使用する必要をなくすようにしたステップを更に有する。
【００１９】
本発明の第１２の側面は、上記第１１の側面の特徴を含み、処理されたメディアファイルを削除する前記ステップは、前記選択されたメディアプロファイルに応じてメディアファイルを削除するステップを含む。
【００２０】
本発明の第１３の側面は、上記第１の側面の特徴を含み、前記更新容量に適合する前記メディアファイルサーバ内の新たなメディアファイルを選択し、当該選択した新たなメディアファイルを前記携帯通信装置に送信するステップを更に有する。
【００２１】
本発明の第１４の側面は、上記第１３の側面の特徴を含み、少なくとも１つの新たなメディアファイルの符号化を変更するステップを更に有する。
【００２２】
本発明の第１５の側面は、上記第１４の側面の特徴を含み、前記符号化は、前記携帯通信装置とネットワークとの間の無線リンクの品質に基づいて変更される。
【００２３】
本発明の第１６の側面は、上記第１４の側面の特徴を含み、前記符号化は、前記新たなファイルを前記更新容量に適合させるべく変更される。
【００２４】
本発明の第１７の側面は、上記第１の側面の特徴を含み、前記メディアファイルストレージは、前記メディアファイルサーバに存在しない少なくとも１つのメディアファイルを含み、前記削除するステップは、前記メディアファイルサーバに存在しない前記少なくとも１つのメディアファイルを削除し、当該削除したメディアファイルを前記メディアファイルサーバに転送するステップを更に有する。
【００２５】
本発明の第１８の側面は、上記第１７の側面の特徴を含み、削除され転送され前記メディアファイルサーバに存在しなくなったメディアファイルの選択は、少なくとも１つの更なる更新時機に基づく。
【００２６】
本発明の第１９の側面は、上記第１の側面の特徴を含み、前記更新容量は、更に少なくとも１つの更なる更新時機に基づいて判断される。
【００２７】
本発明の別の目的は、ユーザが実際の転送に関わる必要なしにユーザが大量のメディアファイルにアクセスできる携帯通信装置においてメディアファイルを変更する高度な手順を提供する携帯通信装置を提供することである。
【００２８】
本発明の第２０の側面によれば、メディアファイルサーバからメディアファイルを更新する携帯通信装置であって、
少なくとも１つの無線通信部と、
制限された容量のメディアファイルストレージと、
前記メディアファイルストレージ内の少なくとも１つのメディアファイルを処理するメディア処理部と、
制御部であって、
前記制限された容量のメディアファイルストレージ内のメディアファイルが処理されたことを検出することにより第１の更新時機を判断し、
前記携帯通信装置と前記メディアファイルサーバとの間に設定することが可能な無線接続のタイプを判断することにより少なくとも１つの更なる更新時機を判断し、
少なくとも、処理されたメディアファイルの前記検出と、前記メディアファイルサーバに対して設定可能な無線接続のタイプと、とりうる他の更なる更新時機とに応じて、更新を自動的に命令する
ように構成された制御部とを備え、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルアーカイブから前記メディアファイルストレージへの新たなメディアファイルの転送を要求し、
前記削除されたメディアファイルと交換する新たなメディアファイルを受信し、当該受信したメディアファイルを前記制限された容量のメディアファイルストレージに格納する
ことにより行うことを特徴とする携帯通信装置によって、上記目的が達成される。
【００２９】
本発明の第２１の側面は、上記第２０の側面の特徴を含み、無線接続の１つのタイプは、前記携帯通信装置と前記メディアファイルアーカイブとの間のローカル無線接続であり、前記更新は、ローカル無線接続の存在に応じて、自動的に命令される。
【００３０】
本発明の第２２の側面は、上記第２１の側面の特徴を含み、メディアファイルが再生され、かつ、ローカル無線接続が存在する場合に、前記更新が自動的に命令される。
【００３１】
本発明の第２３の側面は、上記第２１の側面の特徴を含み、メディアファイルが処理され、かつ、ローカル無線接続が存在しない場合には、別の更なる更新時機に基づいて、前記更新が自動的に命令される。
【００３２】
本発明の第２４の側面は、上記第２０の側面の特徴を含み、１つの更なる更新時機は、所定の時点に達した場合である。
【００３３】
本発明の第２５の側面は、上記第２４の側面の特徴を含み、前記時点は、直近の更新によって決まる相対的な時点である。
【００３４】
本発明の第２６の側面は、上記第２４の側面の特徴を含み、前記時点は、固定された時点である。
【００３５】
本発明の第２７の側面は、上記第２４の側面の特徴を含み、１つの更なる更新時機は、前記携帯通信装置においてカレンダーの設定が行われた場合である。
【００３６】
本発明の第２８の側面は、上記第２０の側面の特徴を含み、１つの更なる更新時機は、前記携帯通信装置を物理的に別のデバイスに接続した場合である。
【００３７】
本発明の第２９の側面は、上記第２０の側面の特徴を含み、前記携帯通信装置のユーザは、選択可能な相異なるメディアプロファイルを有し、前記制御部は更に、少なくとも１つの前記更なる更新時機に基づいてメディアプロファイルを選択し、当該選択されたメディアプロファイルに関する情報を前記メディアファイルサーバに提供し、当該選択されたメディアプロファイルにより新たなメディアファイルの受信を可能にし、これによりメディアプロファイルの選択に使用する前記更なる更新時機を、自動更新の実行の判断のために使用する必要をなくすように構成される。
【００３８】
本発明の第３０の側面は、上記第２０の側面の特徴を含み、前記メディアファイルストレージは、前記メディアファイルサーバに存在しない少なくとも１つのメディアファイルを含み、処理されたメディアファイルを削除する場合、前記制御部は更に、前記メディアファイルサーバに存在しない前記少なくとも１つのメディアファイルを削除し、当該削除したメディアファイルの前記メディアファイルサーバへの転送を命令する。
【００３９】
本発明の第３１の側面は、上記第３０の側面の特徴を含み、削除され転送を命令され前記メディアファイルサーバに存在しなくなったメディアファイルの選択は、少なくとも１つの更なる更新時機に基づく。
【００４０】
本発明の第３２の側面は、上記第２０の側面の特徴を含み、前記制御部は、少なくとも１つの更なる更新時機にも基づいて、前記更新容量を判断するように構成される。
【００４１】
本発明の第３３の側面は、上記第２０の側面の特徴を含み、前記携帯通信装置は携帯電話である。
【００４２】
本発明の別の目的は、ユーザが実際の転送に関わる必要なしにユーザが大量のメディアファイルにアクセスできる携帯通信装置においてメディアファイルを変更する高度な手順を提供するメディアファイルサーバを提供することである。
【００４３】
本発明の第３４の側面によれば、
メディアファイルサーバであって、
メディアファイルを含むメディアファイルアーカイブと、
アーカイブ制御部と、を備え、
前記アーカイブ制御部は、
制限された容量のメディアファイルストレージを有する携帯通信装置であって、該メディアファイルストレージ内のメディアファイルが処理されたことを検出することによる第１の更新時機と、前記携帯通信装置と前記メディアファイルサーバとの間に設定することが可能な無線接続のタイプを判断することに基づく少なくとも１つの更なる更新時機と、とりうる他の更なる更新時機とに応じて、新たなメディアファイルの転送の要求を送信する携帯通信装置から、無線接続を介して前記要求を受信し、
前記携帯通信装置により指定された更新容量に適合し、かつ、前記処理されたメディアファイルと交換する新たなメディアファイルを、前記メディアファイルアーカイブから選択し、
前記選択した新たなファイルを、前記ローカルストレージに格納するために前記携帯通信装置に送信する、
ことを特徴とするメディアファイルサーバによって、上記目的が達成される。
【００４４】
本発明の第３５の側面は、上記第３４の側面の特徴を含み、前記アーカイブ制御部は、前記携帯通信装置により指定された前記携帯通信装置のユーザに関連するメディアプロファイルのセットにおけるメディアプロファイルに応じてメディアファイルを選択するように構成される。
【００４５】
本発明の第３６の側面は、上記第３４の側面の特徴を含み、前記アーカイブ制御部は、転送する少なくとも１つの新たなメディアファイルの符号化を変更するように構成される。
【００４６】
本発明の第３７の側面は、上記第３６の側面の特徴を含み、前記符号化は、前記携帯通信装置とネットワークとの間の無線リンクの品質に基づいて変更される。
【００４７】
本発明の第３８の側面は、上記第３６の側面の特徴を含み、前記符号化は、前記新たなファイルを前記更新容量に適合させるべく変更される。
【００４８】
本発明の別の目的は、ユーザが実際の転送に関わる必要なしにユーザが大量のメディアファイルにアクセスできる携帯通信装置においてメディアファイルを変更する高度な手順を提供するシステムを提供することである。
【００４９】
本発明の第３９の側面によれば、メディアファイルサーバから携帯通信装置を更新するためのシステムであって、
前記携帯通信装置は、
少なくとも１つの無線通信部と、
制限された容量のメディアファイルストレージと、
前記メディアファイルストレージ内の少なくとも１つのメディアファイルを処理するメディア処理部と、
制御部であって、
前記制限された容量のメディアファイルストレージ内のメディアファイルが処理されたことを検出することにより第１の更新時機を判断し、
前記携帯通信装置と前記メディアファイルサーバとの間に設定することが可能な無線接続のタイプを判断することにより少なくとも１つの更なる更新時機を判断し、
少なくとも、処理されたメディアファイルの前記検出と、設定可能な無線接続のタイプと、とりうる他の更なる更新時機とに応じて、更新を自動的に命令する
ように構成された制御部とを備え、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルサーバから前記ファイルストレージへの新たなメディアファイルの転送を要求し、
前記削除されたメディアファイルと交換する新たなメディアファイルを受信し、
前記受信したメディアファイルを前記制限された容量のファイルストレージに格納する
ことにより行い、
前記メディアファイルサーバは、
メディアファイルを含むメディアファイルアーカイブと、
アーカイブ制御部と、を備え、
前記アーカイブ制御部は、
前記携帯通信装置から前記無線接続を介して新たなメディアファイルの転送の要求を受信し、
更新容量に適合する新たなメディアファイルを、前記メディアファイルアーカイブから選択し、
前記選択した新たなファイルを、前記携帯通信装置に送信する
ことを特徴とするシステムによって、上記目的が達成される。
【００５０】
本発明の別の目的は、ユーザが実際の転送に関わる必要なしにユーザが大量のメディアファイルにアクセスできる携帯通信装置においてメディアファイルを変更する高度な手順を提供するためのコンピュータプログラムを提供することである。
【００５１】
本発明の第４０の側面によれば、メディアファイルサーバから携帯通信装置を更新するためのコンピュータプログラムであって、
前記携帯通信装置にロードされたときに、当該携帯通信装置に、
制限された容量のメディアファイルストレージ内のメディアファイルが処理されたことを検出することにより第１の更新時機を判断し、
当該携帯通信装置と前記メディアファイルサーバとの間に設定することが可能な無線接続のタイプを判断することにより少なくとも１つの更なる更新時機を判断し、
少なくとも、処理された幾つかのメディアファイルの前記検出と、設定可能な無線接続のタイプと、とりうる他の更なる更新時機とに応じて、更新を自動的に命令する
ことを実行させるためのコンピュータプログラムコードを含み、
前記更新は、
処理されたメディアファイルを、前記制限された容量のファイルストレージから削除し、
前記メディアファイルストレージにおける空き記憶容量に基づいて、更新容量を判断し、
前記メディアファイルサーバへの無線接続を介して、前記メディアファイルサーバから前記メディアファイルストレージへの新たなメディアファイルの転送を要求し、
前記削除されたメディアファイルと交換する新たなメディアファイルを受信し、当該受信したメディアファイルを前記制限された容量のメディアファイルストレージに格納する
ことにより行うことを特徴とするコンピュータプログラムによって、上記目的が達成される。
【００５２】
本発明の第４１の側面によれば、メディアファイルサーバから携帯通信装置を更新するためのコンピュータプログラムであって、
前記メディアファイルサーバにロードされたときに、当該メディアファイルサーバに、
前記携帯通信装置の制限された容量のメディアファイルストレージ内のメディアファイルが処理されたことを検出することによる第１の更新時機と、前記携帯通信装置と前記メディアファイルサーバとの間に設定することが可能な無線接続のタイプを判断することに基づく少なくとも１つの更なる更新時機と、とりうる他の更なる更新時機とに応じて、新たなメディアファイルの転送の要求を送信する前記携帯通信装置から、無線接続を介して前記要求を受信し、
前記携帯通信装置により指定された更新容量に適合し、かつ、前記処理されたメディアファイルと交換する新たなメディアファイルを、前記メディアファイルアーカイブから選択し、
前記選択した新たなファイルを、前記ローカルストレージに格納するために前記携帯通信装置に送信する
ことを実行させることを特徴とするコンピュータプログラムによって、上記目的が達成される。
【００５３】
本発明には以下の利点がある。ユーザが関与する必要なしに自動的に、再生された古いファイルが新たなファイルに交換される。ファイルが処理されている限り、ユーザがメディアファイルサーバの近くに移動したり、その他の更新時機が存在するときに更新が行われうる。それ故、ユーザは、操作方法について悩むことなく、新たなメディアファイルを楽しむことができ、全てのアーカイブにアクセスする感覚を得ることができる。こうして、携帯通信装置にメディアファイルを長期間保存しすぎてユーザが飽きてしまうことがないことを、より確実にできる。これにより、ユーザは携帯通信装置にメディアファイルを転送する方法以外のことに集中することができる。
【００５４】
なお本明細書において、「備える（comprises/comprising）」の用語は記述する特徴、工程又は構成要素の存在を意味するが、その他の特徴、工程、構成要素又はそのグループの存在や追加を除外するものではないことを強調しておく。
【発明を実施するための最良の形態】
【００５５】
図１に、本発明による携帯通信装置１０を示す。好適な実施形態においては、この装置は携帯電話１０であり、ディスプレイ１２と、複数のキーを含むキーパッド１４で構成されるユーザ入力部と、スピーカ１６とを有する。携帯電話１０は、システムコネクタ１７も有する。このシステムコネクタ１７を介して、充電器及び／又はハンズフリーセットなどの外部デバイスをこの携帯電話に接続することができる。ハンズフリーセットは別体として構成されるか、あるいは自動車に搭載される。キーパッド１４は機能の選択やプロンプトへの応答などの情報を入力するのに使用され、ディスプレイ１２は機能及び携帯電話のユーザへのプロンプトの表示、並びに映像の提示に使用され、スピーカ１６は電話機で再生される音声、音楽などの音を出すように構成されている。なお携帯電話は本発明を実現できる装置の一例に過ぎないものである。メディアファイルを記録／再生できるようなメディア処理機能を有するとともに、無線接続を介してメディアファイルサーバに接続することができるのであれば、ＰＤＡ（personal digital assistant）、パームトップコンピュータ、ラップトップコンピュータ、メディアプレーヤーなどでも、本発明を適用可能である。
【００５６】
図２は、ローカル無線ネットワークＮ1において提供され、同じくローカルネットワークＮ1において提供されるメディアファイルサーバ１８と無線で通信する携帯電話１０を示す。ローカルネットワークＮ1は、好ましくはホームネットワーク（home network）で、ＰＣ、ステレオ機器、ＴＶ、ビデオ機器等の他の機器を含むことができる。ローカルネットワークＮ1は、好ましくは無線ＬＡＮネットワークであるが、例えばブルートゥース（登録商標）を使用するようなローカル通信を提供する他の手段でもよい。ローカルネットワークＮ1は物理的な拡張には制限があり、これは、携帯電話が長時間ローカルネットワークＮ1の外部にいることがあることを意味する。メディアファイルサーバ１８は、複数のメディアファイルを含むメディアファイルアーカイブ２０を有する。メディアファイルは例えばＭＰ３で符号化された音楽やビデオファイルである。メディアファイルサーバ１８は更に、アーカイブ制御部２２、第１の無線通信部２１、近接通信部（proximity communication unit）２３で構成される第２の無線通信装置を含む。これらはＷＬＡＮ又はブルートゥース（登録商標）通信ユニットで構成することができる。
【００５７】
携帯通信装置は携帯電話であるから、１又は２以上のセルラネットワークを使用して通信することも可能であるが、ここでは１つのネットワークＮ2を図２に示す。このネットワークは、ＧＰＲＳネットワーク又はＵＭＴＳネットワークでありうる。本発明はこれらのタイプのネットワークに限定されるものではなく、メディアファイルの転送が可能なあらゆる無線ネットワークにおいて実現可能である。また、メディアファイルサーバ１８は、第１の無線通信部２１を使用し、このネットワークＮ2を介して通信することができる。このように携帯電話１０には、携帯電話１０がメディアファイルサーバ１８とコンタクトすることができる１以上の経路がある。携帯電話１０は、さらにネットワークＮ2を介してコンテンツプロバイダから音楽及び／又は映像をダウンロードすることができる。図２では、第２のネットワークＮ2は、ローカルネットワークＮ1によりサービスが提供されるエリアとは別のエリアにサービスを提供するものとして示されている。とはいえ、実際には、第２のネットワークＮ2は通常、非常に広いエリアでサービスを提供するものであり、ローカルネットワークＮ1もその範囲に含まれる。
【００５８】
図３は、本発明に係る携帯電話１０の内部の一部を示す。携帯電話１０は、セルラーネットワークにおける通信のための第３の無線通信部３０と、ＷＬＡＮやブルートゥース（登録商標）通信ユニット等の近接通信部３４で構成される第４の無線通信部と、本実施形態ではメディアプレーヤーであるメディア処理部２６と、カレンダー等の所定のアプリケーションを動作させるアプリケーション部３８と、ローカルメディアファイルストレージ２８と、スピーカ１６と、システムコネクタ１７とを備え、これらは制御部２４に接続されている。第３の無線通信部３０には第２のネットワークとの通信のための第１のアンテナ３２が接続され、第４の無線通信部３４にはローカルネットワークとの通信のための第２のアンテナ３６が接続されている。メディアプレーヤー２６はスピーカ１６及びメディアファイルストレージ２８に接続されている。また、メディアプレーヤー２６はディスプレイ１２にも接続することができる。あるいは、複数のメディア処理部を設け、例えばカメラ及び／又はその他のメディア記録ユニットや、その他のメディア再生、編集及び提示ユニットのような携帯電話１０において提供する種々のタイプのメディアを取り扱うようにしてもよい。このようにメディアファイルを再生、表示、作成、検査、記録することができるあらゆるタイプのユニットを使用することができる。
【００５９】
次に、本発明による方法の実施形態のフローチャートを示す図４と、前記図１乃至図３を参照して、本発明の機能を説明する。
【００６０】
以下では、例えばＭＰ３で符号化された音楽ファイルが、ユーザに関係するメディアファイルとして提供される例を説明する。ただし、本発明は、他の符号化方式や、映像ファイル、画像ファイル、ＭＭＳファイル等の他のタイプのメディアファイルにも適用可能である。
【００６１】
ユーザは、ホームネットワークＮ1のメディアファイルサーバ１８が提供するメディアファイルアーカイブ２０を利用できる。メディアファイルアーカイブ２０は複数のメディアファイルを提供する。一方、メディアファイルアーカイブ２０は、ファイル全てを携帯電話１０のローカルファイルストレージ２８に同時に提供するには大きすぎる。このため、メディアファイルアーカイブ２０の一定のサブセットをローカルファイルストレージ２８に提供することができる。また、携帯電話１０にダウンロードするメディアファイルは、携帯電話１０のユーザのために存在することができる複数のメディアプロファイルの中のあるメディアプロファイルに適合することができる。
【００６２】
ユーザがホームネットワークＮ1から離れているとき、ユーザはローカルファイルストレージ２８のメディアファイルのいくつかを処理することができる。この処理は本実施形態ではメディアプレーヤー２６を稼動することによりこれらのメディアファイルを再生することにより行う。この場合、再生されたメディアファイルの音は、スピーカ１６を通して出力されうる。次に、メディアプレーヤー２６は、再生した各ファイルに対して、再生したことを示すフラグを設定する。本発明の方法はステップ４０で始まり、ステップ４２で、制御部２４は設定されたフラグを検査してファイルが再生されたかを判断する。ここでは、メディアファイルの再生を、第１の更新時機（first updating circumsatnce）とする。制御部２４は、例えば、１つのファイルが再生された、あるいは、所定数のファイル、例えば５つのファイルが再生されたかの検査を行う。再生されていなければ、制御部２４は元に戻り、ファイル再生基準が満たされるまでファイルの再生を待機する。
【００６３】
ステップ４２で、再生されたファイルがあれば、制御部２４は次に、現在のネットワーク接続のタイプを判断する。すなわち、携帯電話１０がセルラーネットワーク及び／又はローカルネットワークに接続しているかを判断する。これは、制御部２４が通信部３０及び３４に命令し、通信部が接続するネットワークがあるかを調べることにより行う。これらによって通信品質を判断することもできる。この情報は制御部２４にレポートされる。
【００６４】
携帯電話１０がローカルネットワークＮ1内に位置しているか否かを、更なる更新時機（further updating circumstance）とする。ステップ４４で、携帯電話１０がローカルネットワークＮ1内に位置していなければ、制御部２４は次に、ステップ４８で、別の更なる更新時機（another further circumstance）になったかを調べる。本実施形態では、別の更新時機は、ローカルファイルストレージ２８における未処理ファイル数がある閾値を下回ることとすることができる。ここでは、閾値は、制限された数の未再生ファイルがローカルファイルストレージに残るように設定される。この閾値は、例えば１から１０の間の値とすることができ、ここでは例えば３とする。したがって、３つのメディアファイルが未再生で残ったときに、更新時機となる。他の更なる更新時機についての例は後述する。ステップ４８で、この更なる更新時機になっていなければ、制御部２４は元に戻り、ステップ４４で、携帯電話１０がローカルネットワークＮ1内にあるかをどうかを調べる。一方、ステップ４８で、更なる更新時機になっていれば、ステップ５０で、制御部２４は第２のネットワークＮ2を介してサーバ１８へのリモート接続を設定し、その後ステップ５２に進む。装置がローカルネットワークＮ1内に位置していれば、ステップ４６で、ローカルネットワークＮ1内のサーバへのローカル無線接続を設定する。したがって、このローカル接続が行われれば、制御部はこの更なる更新時機となることの待機はしない。
【００６５】
ステップ５２で、接続を設定するネットワークの如何に関わらず、制御部２４はローカルファイルストレージ２８における再生済みファイルを削除し、その後、ステップ５４で、更新容量を判断する。本実施形態では、更新容量は、削除したファイルが占めていたのと同じ量とする。その後、ステップ５６で、制御部２４はメディアプロファイルを選択する。ここでは、メディアプロファイルは、装置が判断することができるある更新時機に基づいて選択する。この例では、その更新時機は携帯電話１０がローカルネットワークＮ1内に位置していることとすることができる。また、メディアプロファイルは、カレンダーの設定に依存するような他の更新時機に基づいて選択してもよい。更なる例については後述する。メディアプロファイルの選択に使用する更新時機は、更なる更新を行うことを判断するのに使用する更新時機とは異なってもよい。
【００６６】
ステップ５８で、制御部２４は、更新容量を埋めるために新たなファイルの転送要求を送信するとともに、選択するメディアプロファイルを指定する。携帯電話１０がローカルネットワークＮ1内に位置していれば、これは、第４の無線通信部３４が、ローカル無線接続により、この要求を第２のアンテナ３６を介して送信することにより行われる。携帯電話１０がローカルネットワークＮ1内に位置していなければ、第３の無線通信部３０及び第１のアンテナ３２を使用することになる。
【００６７】
アーカイブ制御部２２が対応する無線通信部２１又は２３を介してこの要求を受信すると、アーカイブ制御部２２は、メディアプロファイルに従い、更新容量に適合する新たなファイルをメディアファイルアーカイブ２０から選択する（ステップ６０）。したがって、アーカイブ制御部２２は、削除された再生済みファイル及びローカルファイルストレージに残っている未再生ファイルと異なるファイルを選択する。ここで、１又は２以上のファイルを圧縮して更新容量に適合させる必要があるかもしれない。また、無線接続の品質に応じて種々の程度の圧縮を使用することができる。ネットワーク品質情報は携帯電話の制御部２４から受信してもよいし、サーバ１８において判断してもよい。圧縮は更新容量の最適な使用となるように決定することができ、メディアプロファイルに基づいて選択することもできる。これは、再生時間及び品質が適度なものとなるように、再生時間が最長になるように、あるいは、再生品質が最高になるように、決定することができる。メディアの転送にはメディアファイルアーカイブ２０と携帯電話１０との間で利用できる最良の接続を使用するか、あるいは、ダウンロードの速度及び品質を利用可能なデータ速度に適合させることができる。アーカイブ制御部２２が必要に応じて圧縮されたこれらのファイルを選択すると、ステップ６２で、これらのファイルは、使用する無線通信部２１又は２３を介してメディアファイルアーイブ２０から携帯電話１０へと転送される。ステップ６４で、携帯電話１０の対応する無線通信部３０又は３４はこれらのファイルを受信し、これらのファイルを制御部２４に転送し、制御部２４は、これらのファイルをローカルファイルストレージ２８に格納する。
【００６８】
このようにして、ユーザが関与する必要なく、自動的に、再生済みの古いファイルが新たなファイルに交換される。ファイルが再生されている限り、ユーザがローカルネットワークに移動する都度、更新が行われる。これにより、ユーザは操作方法に悩むことなく、新たな音楽を聞き、全アーカイブにアクセスする感覚を得ることができる。こうして、メディアファイルを携帯電話内で長期間保持されユーザがそれに飽きてしまうことがないことを、より確実にできる。したがって、ユーザはメディアファイルを携帯電話に転送する方法以外のことに集中することができる。メディアプロファイルを提供することにより、ユーザはさらにユーザがいる状況に応じてユーザが関心を持つファイルを受信することができる。
【００６９】
以上の例においては、２つの更なる更新時機について述べた。その他の更新時機を使用することも可能であり、以下、その例を説明する。携帯電話は最後に更新を行った時刻を記録することが可能であり、最後の更新から一定の時間が経過した場合に、更新を行うことができる。また、携帯電話は、例えば金曜日午後６時などの固定された時刻に更新を実行することもできる。これは、メディアプロファイルにおいてユーザが週末に新たな音楽を聞くことを好むであろうことが指示されている場合に、そうすることが可能である。また、更なる更新時機が、携帯通信装置が例えば自動車に搭載される充電器やハンズフリーセット等の別のデバイスにシステムコネクタ１７を介して接続していることに基づくこともありえ、これはユーザが新たな音楽を聞くことを好むであろう状況でありうる。使用する１つの更なる更新時機は、カレンダーにおける設定や、前述の通りローカルファイルストレージに残る僅かな未再生ファイルがあることに基づくこととしてもよい。
【００７０】
前述のように、ユーザは複数のメディアプロファイルを持つことができ、これはユーザが種々の状況において一定のタイプの音楽、例えば在宅時にはあるタイプの音楽、外でジョギング中のときは別のタイプ、車両に座っているときなどにはさらに別のタイプに興味を有することがありうることを意味する。携帯通信装置が種々のメディアプロファイルを自動的に選択することを可能にすることで、何もする必要なくユーザの好みによるファイルを提供することができる。更新を行うことを判断することに対するのと同じ上記の更なる更新時機に基づいて、これらのメディアプロファイルを選択することができる。例えば、携帯電話がローカルネットワーク内に位置しているとき、あるメディアプロファイルを選択することができる。携帯電話がハンズフリー装置又は充電器に接続されたときには、別のプロファイルを選択することができる。その日の時間が金曜日の午後であれば、別のプロファイルを選択することができる。外でジョギングをするなどのカレンダーの設定を行っていれば、別のプロファイルを選択することができる。
【００７１】
各メディアプロファイルに対して、メディアファイルサーバから携帯電話に転送するファイルのタイプを選択したり、メディアファイルストレージから削除するファイルを選択することも可能である。したがって、例えば映像ファイルを削除し、代わりに音楽ファイルを受信することや、あるタイプ、例えばクラシック音楽、の音楽ファイルを削除し、別のタイプ、例えばディスコ音楽、の音楽ファイルを受信することが可能である。このようにして、メディアファイルストレージが最適に使用される。メディアプロファイルが再生時間を優先することを示す場合には、例えば、同じ蓄積量を占めるが、より長い再生時間を有するオーディオファイルにより、短いビデオクリップを自動的に交換することができる。さらに、ユーザにより供給するか、又はユーザの動作及び再生シーケンスに基づいて判断するかいずれかの優先スコアに基づき、一定のメディアプロファイルに適合する個々のファイルをサーバに選択させることが可能である。米国特許出願公開第２００５／００２１４７０号に記載される手法によって、これを行うことができる。同文献の引用によりその内容は本明細書に組み込まれる。
【００７２】
今日の携帯電話には通常、それ自体の映像やコンテンツプロバイダからダウンロードしたコンテンツを記録するだけの容量を備えている。それ故、携帯電話は、ローカルネットワークのメディアファイルアーカイブには存在しないファイルを記憶している場合がある。そこで、本発明の一実施形態では、更新を行う際に、ローカルファイルストレージに存在するファイルをメディアファイルアーカイブにアップロードすることが可能である。また、これらのファイルが未再生であっても、これらのファイルをアップロードし、その後それらを削除するようにしてもよい。あるいは、ローカルファイルストレージに存在するファイルが再生されると、アップロードし、その後、削除するようにしてもよい。ただし、これらのファイルは、ファイル選択情報の生成やファイルの提示を含む処理がされるべきである。これは、例えば、ユーザがビデオ撮影を行い、これを自宅に保存しテレビジョンセットで見ることを望む場合に相当しうる。ユーザが装置によりユニークなメディアファイルを記録するこの自由を選択した場合、これらのファイルもこの強化されたメディア交換システムに仲間入りする。そしてそのユニークなファイルをメディアファイルストレージにアップロードし、新たなファイルと交換することで、その後の楽しみを続けることができる。
【００７３】
本発明の別の実施形態によれば、更新容量は必ずしも削除するものと同じ容量である必要はない。ローカルファイルストレージが許容すれば削除量よりより大きくてもよいし、小さくてもよい。後者のケースは、例えば金曜日の午後であるとか、例えば週末旅行を示すカレンダーの設定の場合のような、ある時点で行われるとよい。このように、ユーザが自身のメディアファイルをダウンロード、又は記録する空間を確保することが可能である。更新容量は、更新時機により直接、又は更新時機に基づき選択したメディアプロファイルに基づき間接的に判断することができる。使用状況に基づき更新容量を判断することは、時にユーザが消費するための大きな空き容量を残す。
【００７４】
本発明による携帯電話における制御部、メディア処理部、及び、アプリケーション部は、好ましくは、これらのユニットの機能を実行するためのプログラムコードを含むメモリを伴う１又は２以上のプロセッサによって提供され、ローカルファイルストレージは、ＲＡＭ、ＲＯＭ、フラッシュメモリ、あるいはメモリスティック等のメモリモジュール又はその一部として提供される。各無線通信部は一般に、個別のハードウェアモジュールとして、例えばＡＳＩＣ回路によって提供される。もっとも、これらは、同じモジュールに結合されてもよい。携帯電話の更に別のハードウェアユニットが、データバスによって接続されてもよい。
【００７５】
また、アーカイブ制御部は、アーカイブ制御部の機能を実行するためのプログラムコードを含むメモリを伴うプロセッサとしてサーバに実装することができる。メディアファイルアーカイブは、１又は２以上のメモリモジュールとして、例えばハードディスクによって提供され、さらにローカルネットワーク内に分散させることもできる。また、無線通信部は、ＡＳＩＣ回路によって提供されうる。
【００７６】
上述のプログラムコードは、図５に示すようなＣＤ−ＲＯＭディスク６６などの１または２以上のコンピュータプログラム製品により提供することができ、適した処理能力の携帯電話にロードすると、又は、メディアファイルサーバにロードすると、プログラムコードは本発明を実行することになる。当然、例えばメモリスティックのような取り外し可能なメモリのような、その他のタイプの製品を、本発明の実行のために提供することができる。コンピュータプログラム製品を、またソフトウェアとして提供することができ、ソフトウェアをセルラーネットワークの外部又は内部におけるリモートのサーバからダウンロードするか、携帯電話が一時的に接続するＰＣのようなコンピュータを介してダウンロードする。
【００７７】
上述の例に加えて、本発明に対して行うことができる幾つかの更なる変形例がある。メディアファイルサーバをローカルネットワーク内に設けることはできない。したがって、携帯電話がメディアファイルサーバと直接通信することができる。さらに、本発明では、メディアプロファイルの判断を使用せずに新たなメディアファイルを選択することも可能である。更新要求及びプロファイルの選択の処理を、さらに例えば音楽ファイル及び映像ファイルに対するように、種々のタイプのファイルに対して個別に行うことができる。また、更新を１つのこのようなタイプに対して行えば、その他のタイプに対する更新を行うべきではないが、その他のタイプの更新も行うようにしてもよい。ローカルネットワークの各無線通信部は、メディアファイルサーバのように各装置内に設けられるが、メディアファイルサーバが、ローカルネットワークに設けられた１つの無線通信部に対してのみリンクを有するように構成してもよい。
【００７８】
以上、本発明の特定の実施形態について説明したが、本発明は、本明細書で開示した特定の形式に限定されるものではない。本発明の範囲は特許請求の範囲によって定義される。
【図面の簡単な説明】
【００７９】
【図１】携帯通信装置である携帯電話を示す図、
【図２】ローカルネットワークにおいてメディアファイルサーバに接続する図１の携帯電話を概略的に示す図、
【図３】本発明の携帯電話の関係部の概略ブロック図、
【図４】本発明の実施形態における新たなメディアファイルで携帯通信装置を更新する方法のフローチャート、
【図５】本発明による方法を実行するためのプログラムコードを提供するＣＤ−ＲＯＭディスクを示す図である。
【図１】
2009505259.tif 000003
【図２】
2009505259.tif 000004
【図３】
2009505259.tif 000005
【図４】
2009505259.tif 000006
【図５】
2009505259.tif 000007
【国際調査報告】
2009505259.tif 000008
2009505259.tif 000009
2009505259.tif 000010